(57)【要約】  ハイブリッド衛星−地上ネットワーク内の衛星受信器で地上送信器によって引き起こされる干渉を除去する方法において、衛星受信器は、地上送信器からの基準地上信号および受信した無線（ＯＴＡ）信号に基づいて干渉除去信号を生成する。衛星受信器は、その後、干渉除去信号を受信したＯＴＡ信号と組み合わせることによって、地上送信器によって引き起こされる干渉を除去する。干渉除去信号は、基準地上信号の変更されたバージョンである。
2015516704.tif 000002
【特許請求の範囲】
【請求項１】
ハイブリッド衛星−地上ネットワーク内の衛星受信器で地上送信器によって引き起こされる干渉を除去するための方法であって、
前記衛星受信器で、前記地上送信器からの基準地上信号および受信した無線（ＯＴＡ）信号に基づいて干渉除去信号を生成するステップであって、前記干渉除去信号は、前記基準地上信号の変更されたバージョンである、ステップと、
前記衛星受信器で、前記干渉除去信号を前記受信したＯＴＡ信号と組み合わせることによって、前記地上送信器によって引き起こされる前記干渉を除去するステップと
を含む方法。
【請求項２】
前記生成するステップは、
前記干渉除去信号を生成するために、前記基準地上信号のチャネル特性を調整するステップ
を含む、請求項１に記載の方法。
【請求項３】
前記基準地上信号は、前記受信したＯＴＡ信号の衛星信号成分から入手された衛星情報に基づいて前記地上送信器によって生成される、請求項１に記載の方法。
【請求項４】
前記入手された衛星情報は、マルチメディア・コンテンツを含むペイロード・データであり、前記方法は、
前記ペイロード・データを変調するステップと、
前記変調されたペイロード・データに基づいて前記基準地上信号を生成するステップと
をさらに含む、請求項３に記載の方法。
【請求項５】
前記入手された衛星情報は、チャネル特性を含み、前記方法は、
前記チャネル特性に基づいてマルチメディア・コンテンツを含むペイロード・データを変調するステップであって、前記ペイロード・データは、補助ネットワークから受信される、ステップと、
前記変調されたペイロード・データに基づいて前記基準地上信号を生成するステップと
をさらに含む、請求項３に記載の方法。
【請求項６】
前記生成するステップは、
前記受信したＯＴＡ信号から衛星情報を入手するステップと、
前記入手された衛星情報に基づいて、再構成された衛星デジタル信号を生成するステップと、
前記受信したＯＴＡ信号のデジタル表現の地上デジタル信号成分を入手するために、前記再構成された衛星デジタル信号を前記受信したＯＴＡ信号の前記デジタル表現と組み合わせるステップと、
前記地上デジタル信号成分および前記基準地上信号のデジタル表現に基づいて、前記基準地上信号に関連するチャネル特性を検出するステップと、
前記検出されたチャネル特性に基づいて前記干渉除去信号を生成するステップと
を含む、請求項１に記載の方法。
【請求項７】
前記干渉除去信号は、前記基準地上信号と実質的に等しいが、位相において反対である信号である、請求項１に記載の方法。
【請求項８】
前記基準地上信号の送信電力を増やすステップと、
前記基準地上信号の前記送信電力を送信電力レベルと比較するステップと、
前記比較するステップに基づいて、前記基準地上信号を送信すべきかどうかを判定するステップと
をさらに含む、請求項１に記載の方法。
【請求項９】
地上送信器からの基準地上信号および受信した無線（ＯＴＡ）信号に基づいて干渉除去信号を生成するように構成された干渉除去ブロックであって、前記干渉除去信号は、前記基準地上信号の変更されたバージョンである、干渉除去ブロックと、
ハイブリッド衛星−地上ネットワーク内で前記地上送信器によって引き起こされる干渉を除去するために、前記干渉除去信号を前記受信したＯＴＡ信号と組み合わせるように構成された第１のコンバイナと
を備える衛星受信器。
【請求項１０】
ハイブリッド衛星−地上ネットワークの干渉除去システムであって、
基準地上信号の送信電力を送信電力レベルと比較し、前記送信電力が前記送信電力レベル未満である場合に前記基準地上信号を送信するように構成された地上送信器と、
前記基準地上信号および受信した無線（ＯＴＡ）信号に基づいて干渉除去信号を生成するように構成された干渉除去ブロックであって、前記干渉除去信号は、前記基準地上信号の変更されたバージョンである、干渉除去ブロック、および
前記ハイブリッド衛星−地上ネットワーク内で前記地上送信器によって引き起こされる前記干渉を除去するために、前記干渉除去信号を前記受信したＯＴＡ信号と組み合わせるように構成されたコンバイナ
を含む、衛星受信器と
を備える、干渉除去システム。
【発明の詳細な説明】
【技術分野】
【０００１】
関連出願の相互参照
本願は、米国特許法第１１９（ｅ）条の下で、参照によってその全体が本明細書に組み込まれている、２０１２年２月１３日に出願した米国特許仮出願第６１／５９７９９３号の優先権を主張するものである。
【背景技術】
【０００２】
単一周波数ネットワーク（ＳＦＮ）は、複数の送信器が同一の周波数チャネル上で同一の信号を同時に送信するブロードキャスト・ネットワークである。従来のＳＦＮの１つのタイプは、ハイブリッド衛星−地上（ｈｙｂｒｉｄ  ｓａｔｅｌｌｉｔｅ−ｔｅｒｒｅｓｔｒｉａｌ）ＳＦＮとして知られている。例示的なハイブリッドＳＦＮは、Ｄｉｇｉｔａｌ  Ｖｉｄｅｏ  Ｂｒｏａｄｃａｓｔｉｎｇ（ＤＶＢ）標準規格「Ｆｒａｍｉｎｇ  Ｓｔｒｕｃｔｕｒｅ，ｃｈａｎｎｅｌ  ｃｏｄｉｎｇ  ａｎｄ  ｍｏｄｕｌａｔｉｏｎ  ｆｏｒ  Ｓａｔｅｌｌｉｔｅ  Ｓｅｒｖｉｃｅｓ  ｔｏ  Ｈａｎｄｈｅｌｄ  ｄｅｖｉｃｅｓ（ＳＨ）ｂｅｌｏｗ  ３  ＧＨｚ」、ＥＴＳＩ  ＥＮ  ３０２  ５８３  Ｖ１．１．２（２０１０年２月）で定義されている。
【０００３】
これらのタイプのネットワークでは、地上送信器は、通常、地上送信器が地上信号を正しく生成し、送信するために、衛星信号に含まれるある種の情報を必要とする。
【０００４】
Ｄｉｇｉｔａｌ  Ｖｉｄｅｏ  Ｂｒｏａｄｃａｓｔｉｎｇ  Ｓａｔｅｌｌｉｔｅ  Ｓｅｒｖｉｃｅｓ  ｔｏ  Ｈａｎｄｈｅｌｄ  ｄｅｖｉｃｅｓ（ＤＶＢ−ＳＨ）ＳＦＮなどの従来のハイブリッド衛星−地上ネットワークでは、衛星信号および地上信号が、同一の（あるいは隣接する）周波数帯で送信される場合には、地上送信器によって引き起こされる無線周波数（ＲＦ）干渉に起因して、所要の衛星情報を、地上送信器の位置の比較的近くに配置された受信アンテナを使用して衛星信号から回復することができない。その結果、地上送信器の現場では、衛星信号は、しばしば、現場で受信した無線（ＯＴＡ）信号から直接の所要の衛星情報の回復のために復号するためには、地上送信器からの信号に対して相対的に弱すぎる。このため、衛星信号に関する所要の情報は、地上送信器から離れた位置で入手され、ある他のネットワークを介して地上送信器の現場に送信される。この他のネットワークを、時々、「補助」ネットワークと称する。しかし、これなどの補助ネットワークは、相対的に高価であり、かつ／または不正確である可能性がある。
【先行技術文献】
【特許文献】
【０００５】
【特許文献１】米国特許出願公開第２０１０／０００８４５８号明細書
【非特許文献】
【０００６】
【非特許文献１】Ｄｉｇｉｔａｌ  Ｖｉｄｅｏ  Ｂｒｏａｄｃａｓｔｉｎｇ（ＤＶＢ）標準規格「Ｆｒａｍｉｎｇ  Ｓｔｒｕｃｔｕｒｅ，ｃｈａｎｎｅｌ  ｃｏｄｉｎｇ  ａｎｄ  ｍｏｄｕｌａｔｉｏｎ  ｆｏｒ  Ｓａｔｅｌｌｉｔｅ  Ｓｅｒｖｉｃｅｓ  ｔｏ  Ｈａｎｄｈｅｌｄ  ｄｅｖｉｃｅｓ（ＳＨ）ｂｅｌｏｗ  ３  ＧＨｚ」、ＥＴＳＩ  ＥＮ  ３０２  ５８３  Ｖ１．１．２（２０１０年２月）
【発明の概要】
【発明が解決しようとする課題】
【０００７】
少なくともいくつかの例示的な実施形態は、ハイブリッド衛星−地上ネットワーク内の干渉除去の方法および装置を提供する。少なくとも１つの例示的な実施形態では、当初に、地上送信器は、信号を送信しない。したがって、地上送信器は、合成無線（ＯＴＡ）信号の衛星信号成分／部分への干渉を引き起こさない。したがって、衛星受信器は、ＯＴＡ信号の衛星信号成分を復号し、地上信号を送信するために、所要の衛星情報を地上送信器に提供することができる。
【０００８】
その後、地上送信器が、オンに切り替えられ、出力電力が、徐々に増やされる。地上送信器からの比較的低電力の干渉があると、合成ＯＴＡ信号は、衛星信号部分によって搬送される所要の衛星情報が衛星受信器によって復号されるのに十分に強い衛星信号部分を有する。したがって、地上送信器は、地上信号を送信するときに、復号された衛星信号からの所要の情報を使用し続けることができる。
【０００９】
それと同時に、合成ＯＴＡ信号は、地上信号部分のタイミング、位相、振幅、周波数オフセット、および他のチャネル特性を検出するために、干渉除去ブロックによって処理される。地上信号部分のタイミング、位相、振幅、および他のチャネル特性と、衛星信号復号器からまたは現場で他の形で入手可能な所要の衛星情報とを用いて、干渉除去ブロックは、干渉除去信号として、受信したＯＴＡ信号の地上信号部分の変更されたバージョンを生成する。
【００１０】
干渉除去信号は、衛星受信器で地上送信器によって引き起こされる干渉を抑制するために、合成ＯＴＡ信号と組み合わされ、その結果、衛星信号復号器は、それから所要の衛星情報を抽出すべき相対的にきれいな衛星信号部分を受信し続けることができるようになる。
【００１１】
地上送信器の出力電力が増えると、干渉除去ブロックは、干渉除去信号を生成するために地上信号部分のタイミング、位相、振幅、および他のチャネル特性の検出および追跡を続け、その結果、地上送信器によって引き起こされる干渉は、抑制されるか、大幅に減衰されるようになる。したがって、相対的にきれいな衛星信号成分が、衛星信号復号器に入力される（たとえば、常に継続的に）。
【課題を解決するための手段】
【００１２】
少なくとも１つの例示的な実施形態は、ハイブリッド衛星−地上ネットワーク内の衛星受信器で地上送信器によって引き起こされる干渉を除去する方法を提供する。少なくともこの例示的な実施形態によれば、この方法は、衛星受信器で、地上送信器からの基準地上信号および受信した無線（ＯＴＡ）信号に基づいて干渉除去信号を生成するステップであって、干渉除去信号は、基準地上信号の変更されたバージョンである、ステップと、衛星受信器で、干渉除去信号を受信したＯＴＡ信号と組み合わせることによって、地上送信器によって引き起こされる干渉を除去するステップとを含む。
【００１３】
少なくとも１つの他の例示的な実施形態は、衛星受信器を提供する。少なくともこの例示的な実施形態によれば、衛星受信器は、干渉除去ブロックおよびコンバイナを含む。干渉除去ブロックは、地上送信器からの基準地上信号および受信した無線（ＯＴＡ）信号に基づいて干渉除去信号を生成するように構成される。干渉除去信号は、基準地上信号の変更されたバージョンである。コンバイナは、ハイブリッド衛星−地上ネットワーク内で地上送信器によって引き起こされる干渉を除去するために、干渉除去信号を受信したＯＴＡ信号と組み合わせるように構成される。
【００１４】
本発明は、本明細書で下に与えられる詳細な説明および添付図面からより十分に理解されるようになり、添付図面では、同様の要素が同様の符号によって表され、添付図面は例示のみのために与えられ、したがって、本発明について限定的ではない。
【図面の簡単な説明】
【００１５】
【図１】ハイブリッド衛星および地上ネットワークの一部を示す図である。
【図２】地上送信器および衛星受信器の例示的な実施形態をより詳細に示すブロック図である。
【図３】図２に示された干渉除去ブロックの例示的な実施形態を示すブロック図である。
【図４】ハイブリッド衛星−地上ネットワークでの干渉除去の方法の例示的な実施形態を示す流れ図である。
【図５】地上送信器および衛星受信器の別の例示的な実施形態をより詳細に示すブロック図である。
【発明を実施するための形態】
【００１６】
これらの図が、ある種の例示的な実施形態で利用される方法、構造、および／または材料の全般的な特性を示し、下に提供される書かれた説明を補足することを意図されたものであることに留意されたい。しかし、これらの図面は、原寸通りではなく、任意の所与の実施形態の正確な構造的特性または性能特性を正確には反映しない場合があり、例示的な実施形態によって包含される値の範囲または特性を定義しまたは限定するものと解釈されてはならない。様々な図面での同様のまたは同一の符号の使用は、同様のまたは同一の要素または特徴の存在を示すことを意図されたものである。
【００１７】
次に、本発明の様々な例示的な実施形態を、本発明のいくつかの例示的な実施形態を示す添付図面を参照して、より十分に説明する。
【００１８】
本発明の詳細な例示的な実施形態を、本明細書で開示する。しかし、本明細書で開示される特定の構造的詳細および機能的詳細は、単に、本発明の例示的な実施形態を説明するための代表的なものである。しかし、本発明を、多数の代替の形態で実施することができ、本明細書で示される実施形態だけに限定されると解釈してはならない。
【００１９】
用語「第１の」、「第２の」などが、本明細書で様々な要素を記述するのに使用される場合があるが、これらの要素がこれらの用語によって限定されてはならないことを理解されたい。これらの用語は、ある要素を別の要素から区別するためにのみ使用される。たとえば、本発明の例示的な実施形態の範囲から逸脱せずに、第１の要素を第２の要素と呼ぶことができ、同様に、第２の要素を第１の要素と呼ぶことができる。本明細書で使用されるときに、用語「および／または」は、関連してリストされる項目のうちの１つまたは複数の任意のすべての組合せを含む。
【００２０】
ある要素が別の要素に「接続される」または「結合される」ものとして言及されるときに、その要素を、他の要素に直接に接続しまたは結合することができ、あるいは、介在する要素が存在することができることを理解されたい。対照的に、ある要素が別の要素に「直接に接続される」または「直接に結合される」ものとして言及されるときには、介在する要素は存在しない。要素の間の関係を記述するのに使用される他の単語は、同様の形で解釈されなければならない（たとえば、「〜の間」対「直接に〜の間」、「隣接する」対「直接に隣接する」など）。
【００２１】
本明細書で使用される用語法は、本発明の特定の実施形態を説明するためのみのものであって、例示的な実施形態について限定的であることは意図されていない。本明細書で使用されるときに、単数形「ａ」、「ａｎ」、および「ｔｈｅ」は、文脈がそうではないことを明らかに示さない限り、複数形をも含むことが意図されている。さらに、用語「ｃｏｍｐｒｉｓｅｓ（備える、含む）」、「ｃｏｍｐｒｉｓｉｎｇ（備える、含む）」、「ｉｎｃｌｕｄｅｓ（含む）」、および／または「ｉｎｃｌｕｄｉｎｇ（含む）」は、本明細書で使用されるときに、述べられる特徴、整数値、ステップ、動作、要素、および／またはコンポーネントの存在を指定するが、１つまたは複数の他の特徴、整数値、ステップ、動作、要素、コンポーネント、および／またはそのグループの存在または追加を除外しないことを理解されたい。
【００２２】
また、いくつかの代替実施態様で、示される機能／行為が、図に示された順序から外れて発生する可能性があることに留意されたい。たとえば、連続して示される２つの図が、用いられる機能性／行為に依存して、実際には実質的に同時に実行されてもよく、あるいは、時々逆の順序で実行されてもよい。
【００２３】
特定の詳細が、例示的な実施形態の完全な理解を提供するために、以下の説明で提供される。しかし、当業者は、これらの特定の詳細なしで例示的な実施形態を実践できることを理解するであろう。たとえば、不必要な詳細で例示的な実施形態を不明瞭にしないように、システムがブロック図で示される場合がある。他の場合に、例示的な実施形態を不明瞭にしないように、よく知られている処理、構造、および技法が、不必要な詳細なしで示される場合がある。
【００２４】
また、例示的な実施形態が、フローチャート、流れ図、データ・フロー図、構造図、またはブロック図として示された方法として説明される場合があることに留意されたい。流れ図が、順次方法として動作を説明する場合があるが、動作の多くを、並列に、並行に、または同時に実行することができる。さらに、動作の順序を並べ替えることができる。方法を、その動作が完了したときに終了することができるが、方法は、図に含まれない追加のステップをも有することができる。方法は、メソッド、関数、手続き、サブルーチン、サブプログラムなどに対応することができる。方法が、関数に対応するときに、その終了は、呼出し元関数またはメイン関数への関数のリターンに対応することができる。
【００２５】
さらに、本明細書で開示されるときに、用語「バッファ」は、ランダム・アクセス・メモリ（ＲＡＭ）、磁気ＲＡＭ、コア・メモリ、および／または情報を格納する他の機械可読媒体を含む、データを格納する１つまたは複数のデバイスを表すことができる。用語「記憶媒体」は、読取り専用メモリ（ＲＯＭ）、ランダム・アクセス・メモリ（ＲＡＭ）、磁気ＲＡＭ、コア・メモリ、磁気ディスク記憶媒体、光記憶媒体、フラッシュ・メモリ・デバイス、および／または情報を格納するための他の機械可読媒体を含む、データを格納するための１つまたは複数のデバイスを表すことができる。用語「コンピュータ可読媒体」は、ポータブルまたは固定式の、ストレージ・デバイス、光ストレージ・デバイス、無線チャネル、ならびに命令（１つまたは複数）および／またはデータを格納し、含み、または担持することのできる様々な他の媒体を含むことができるが、これに限定されない。
【００２６】
さらに、例示的な実施形態を、ハードウェア、ソフトウェア、ファームウェア、ミドルウェア、マイクロコード、ハードウェア記述言語、またはその任意の組合せによって実施することができる。ソフトウェア、ファームウェア、ミドルウェア、またはマイクロコードで実施されるときに、必要なタスクを実行するプログラム・コードまたはコード・セグメントを、記憶媒体などの機械可読媒体またはコンピュータ可読媒体に格納することができる。プロセッサ（１つまたは複数）は、必要なタスクを実行することができる。
【００２７】
コード・セグメントは、手続き、関数、サブプログラム、プログラム、ルーチン、サブルーチン、モジュール、ソフトウェアパッケージ、クラス、または命令、データ構造、もしくはプログラムステートメントの任意の組合せを表すことができる。コード・セグメントを、情報、データ、引数、パラメータ、またはメモリ内容を渡し、かつ／または受け取ることによって、別のコード・セグメントまたはハードウェア回路に結合することができる。情報、引数、パラメータ、データなどを、メモリ共有、メッセージ渡し、トークン渡し、ネットワーク伝送などを含む任意の適切な手段を介して渡し、転送し、または送信することができる。
【００２８】
本明細書で議論されるときに、表記「ｘ（ｔ）」、「ｙ（ｔ）」、および「ｚ（ｔ）」は、無線での送信／受信のために適当な無線周波数（ＲＦ）変調（たとえば、直交周波数分割多重（ＯＦＤＭ）変調または類似物）を用いて処理された信号を指す。対照的に、表記「ｘｎ」、「ｙｎ」、および「ｚｎ」は、サンプルのフレームおよび／またはブロックを含むデジタル信号を指す。デジタル信号「ｘｎ」、「ｙｎ」、および「ｚｎ」は、対応するＲＦ信号「ｘ（ｔ）」、「ｙ（ｔ）」、および「ｚ（ｔ）」のデジタル表現である。
【００２９】
本明細書で説明されるとき、ｘ（ｔ）は、衛星信号（本明細書では時々、「アナログ衛星信号」と称する）を指し、ｙ（ｔ）は、地上信号（本明細書では時々、「アナログ地上信号」または「基準地上信号」と称する）を指す。衛星信号ｘ（ｔ）および地上信号ｙ（ｔ）の組合せまたは合成物を、無線（ＯＴＡ）合成信号ｚ（ｔ）と称する。いくつかの場合に、無線（ＯＴＡ）合成信号ｚ（ｔ）を、「アナログＯＴＡ合成信号」、「ＯＴＡ信号」、および／または「合成信号」と称する。
【００３０】
少なくとも１つの例示的な実施形態は、ハイブリッド衛星−地上ネットワーク内の衛星受信器で地上送信器によって引き起こされる干渉を除去する方法を提供する。少なくともこの例示的な実施形態によれば、衛星受信器は、地上送信器からの基準地上信号および受信した無線（ＯＴＡ）信号に基づいて干渉除去信号を生成する。干渉除去信号は、基準地上信号の変更されたバージョンである。衛星受信器は、その後、干渉除去信号を受信したＯＴＡ信号と組み合わせることによって、地上送信器によって引き起こされる干渉を除去する。
【００３１】
少なくとも１つの他の例示的な実施形態は、衛星受信器を提供する。少なくともこの例示的な実施形態によれば、衛星受信器は、干渉除去ブロックおよびコンバイナを含む。干渉除去ブロックは、地上送信器からの基準地上信号および受信した無線（ＯＴＡ）信号に基づいて干渉除去信号を生成するように構成される。干渉除去信号は、基準地上信号の変更されたバージョンである。コンバイナは、ハイブリッド衛星−地上ネットワーク内で地上送信器によって引き起こされる干渉を除去するために、干渉除去信号を受信したＯＴＡ信号と組み合わせるように構成される。
【００３２】
図１に、ハイブリッド衛星および地上ネットワークの一部を示す。
【００３３】
図１を参照すると、データは、ネットワーク（図示せず）から提供され、その後、無線リンクを介して地上送信器２２２によって送信される地上信号ｙ（ｔ）を介してモバイル受信器１０４に供給される。同一のデータを搬送する衛星信号ｘ（ｔ）が、ネットワークから衛星１０８に送信され、その後にモバイル受信器１０４に送信される。
【００３４】
信号ｘ（ｔ）およびｙ（ｔ）は、衛星情報から導出され、これを搬送する。衛星情報は、ペイロード・データを含むことができ、このペイロード・データは、モバイル受信器１０４に供給／送信されるべきデータである。一例では、ペイロード・データは、たとえば、マルチメディア・コンテンツ（たとえば、音声、ビデオ、写真など）ならびに信号伝送特性情報またはチャネル特性情報（たとえば、周波数およびタイミング・オフセット情報）を含むことができる。
【００３５】
上で言及したように、図１に示されたものなどのハイブリッド衛星および地上ネットワークでは、地上送信器２２２は、ネットワークの衛星部分とコヒーレントに機能するために、衛星１０８を介して受信される衛星信号に関する情報を必要とする。この情報を供給するために、衛星受信器１０２が、地上送信器２２２の比較的近くに配置される。少なくとも１つの例示的な実施形態では、衛星受信器１０２を、地上送信器２２２と同一位置に配置することができる。
【００３６】
従来の衛星無線ネットワークでは、衛星受信器は、地上送信器と同一位置に配置される。一例では、本明細書で議論される衛星受信器は、従来の衛星無線ネットワーク内の従来の衛星受信器を置換する。
【００３７】
従来のＤｉｇｉｔａｌ  Ｖｉｄｅｏ  Ｂｒｏａｄｃａｓｔｉｎｇ  Ｓａｔｅｌｌｉｔｅ  Ｓｅｒｖｉｃｅｓ  ｔｏ  Ｈａｎｄｈｅｌｄ  ｄｅｖｉｃｅｓ（ＤＶＢ−ＳＨ）ネットワークには、地上送信器と同一位置に配置される衛星受信器がない。少なくともいくつかの例示的な実施形態によれば、衛星受信器は、地上送信器の現場に追加され、その結果、衛星受信器および地上送信器が、お互いと同一位置に配置されるようになる。
【００３８】
衛星受信器１０２および地上送信器２２２の例示的な実施形態ならびにその互いとの相互作用を、下に図２〜図４に関してより詳細に議論する。
【００３９】
図２は、衛星受信器１０２および地上送信器２２２の例示的な実施形態をより詳細に示すブロック図である。図４は、図２に示された衛星受信器１０２および地上送信器２２２の例示的な動作を示す流れ図である。図４に示された方法は、干渉除去の方法の例示的な実施形態である。例示目的のために、衛星受信器１０２および地上送信器２２２を、図４に示された方法に関して、およびその逆で説明する。
【００４０】
本明細書で説明される機能／行為に加えて、衛星受信器１０２および地上送信器２２２が、ハイブリッド衛星−地上ネットワーク内の従来の衛星受信器および地上送信器の従来の既知の機能をも実行できることを理解されたい。そのような機能は、当技術分野でよく知られているので、詳細な議論は省略する。
【００４１】
図２および図４を参照すると、当初に、ステップＳ４００で、地上送信器２２２は、地上送信器アンテナ２２２０からの地上信号ｙ（ｔ）の送信（または出力）電力に０をセットする。図４に示された方法のこの最初の反復では、地上送信器２２２は、地上信号ｙ（ｔ）を送信しない。その結果、衛星受信器１０２の衛星受信器アンテナ２０１は、地上送信器２２２からの干渉なしで衛星信号ｘ（ｔ）を受信する。
【００４２】
ステップＳ４０４では、衛星受信器１０２が、合成ＯＴＡ信号ｚ（ｔ）を処理し、衛星情報を抽出する。この例では、衛星情報は、ペイロード・データＳＡＴ＿ＳＩＧ＿ＰＡＹＬＯＡＤを含む。ペイロード・データＳＡＴ＿ＳＩＧ＿ＰＡＹＬＯＡＤは、たとえば、マルチメディア・コンテンツ（たとえば、音声、ビデオ、写真など）を含むことができる。
【００４３】
まだステップＳ４０４を参照すると、より詳細には、無線周波数（ＲＦ）フィルタ２０２は、帯域外雑音および干渉を除去するために、受信した合成ＯＴＡ信号ｚ（ｔ）をフィルタリングする。コンバイナ２０４は、フィルタリングされた合成ＯＴＡ信号ｚ（ｔ）を、干渉除去ブロック２２４からの干渉除去信号ｙＥＳＴ（ｔ）と組み合わせる（加算しまたは合計する）。この最初の反復では、地上送信器２２２での送信出力が０なので、干渉除去信号ｙＥＳＴ（ｔ）も０である。したがって、コンバイナ２０４からの組み合わされた信号出力は、本質的に、ＲＦフィルタ２０２からの受信した衛星信号ｘ（ｔ）である。
【００４４】
低雑音増幅器（ＬＮＡ）２０６が、組み合わされた信号を増幅し、増幅された組み合わされた信号をダウンコンバータ／アナログ・デジタル変換器（ＡＤＣ）ブロック２０８に出力する。ダウンコンバータ／ＡＤＣブロック２０８は、組み合わされた信号を中間周波数（ＩＦ）またはベースバンドのアナログ信号に周波数ダウンコンバートし、その後、アナログの組み合わされた信号を合成信号デジタル・サンプルｚｎにさらに変換する。合成信号デジタル・サンプルｚｎを、本明細書では、合成デジタル信号ｚｎまたは合成信号のデジタル表現とも称する。合成デジタル信号ｚｎは、複数のブロックまたはフレームにグループ化された連続するデジタル・サンプルからなる。デジタル信号および／またはデジタル・サンプルがデジタル・サンプリングを介して生成される形は、当技術分野でよく知られている。したがって、詳細な議論は、簡潔さのために省略する。
【００４５】
ダウンコンバータ／ＡＤＣブロック２０８は、干渉除去ブロック２２４および衛星信号復号器２１０２に合成デジタル信号ｚｎを出力する。
【００４６】
衛星信号復号器２１０２は、合成デジタル信号ｚｎを復号して、ペイロード・データＳＡＴ＿ＳＩＧ＿ＰＡＹＬＯＡＤを抽出する。衛星信号復号器２１０２は、地上送信器２２２および干渉除去ブロック２２４にペイロード・データＳＡＴ＿ＳＩＧ＿ＰＡＹＬＯＡＤを出力する。干渉除去ブロック２２４を、後でより詳細に議論する。
【００４７】
図４に戻って、ステップＳ４０５で、地上送信器２２２は、衛星受信器１０２からのペイロード・データＳＡＴ＿ＳＩＧ＿ＰＡＹＬＯＡＤに基づいて、送信される基準地上信号ｙ（ｔ）を生成する。
【００４８】
より詳細には、ステップＳ４０５で、変調器２１０４が、衛星信号復号器２１０２からのペイロード・データＳＡＴ＿ＳＩＧ＿ＰＡＹＬＯＡＤを変調して、ペイロード・データＳＡＴ＿ＳＩＧ＿ＰＡＹＬＯＡＤを含むデジタル・サンプルｙＳＡＴ＿ＳＩＧ＿ＰＡＹＬＯＡＤを生成する。一例では、変調器２１０４は、当技術分野で既知の直交周波数分割多重（ＯＦＤＭ）を使用して、ペイロード・データＳＡＴ＿ＳＩＧ＿ＰＡＹＬＯＡＤを変調する。デジタル・アナログ変換器（ＤＡＣ）／アップコンバータ２１２が、デジタル・サンプルｙＳＡＴ＿ＳＩＧ＿ＰＡＹＬＯＡＤをアナログ信号に変換し、アナログ信号をＲＦ信号に周波数アップコンバートする。このケースでは、ＲＦ信号は、地上送信器の送信電力が増やされた後に（たとえば、図４に示された方法の後続の反復で）、地上送信器アンテナ２２２０から送信される基準地上信号ｙ（ｔ）である。
【００４９】
高出力増幅器（ＨＰＡ）２１４が、ＤＡＣ／アップコンバータ２１２からの基準地上信号ｙ（ｔ）を増幅し、増幅された基準地上信号ｙ（ｔ）は、送信のために地上送信器アンテナ２２２０に出力される。
【００５０】
カプラ２２０は、基準地上信号ｙ（ｔ）のフィードバックを入手し、入手したフィードバックをダウンコンバータ／ＡＤＣ２１８に出力する。ダウンコンバータ／ＡＤＣ２１８は、基準地上信号ｙ（ｔ）をＩＦまたはベースバンドのアナログ信号にダウンコンバートする。また、ダウンコンバータ／ＡＤＣ２１８は、基準地上信号ｙ（ｔ）をデジタル化して、基準地上デジタル信号ｙｎを生成する。基準地上デジタル信号ｙｎは、地上送信器２２２によって送信される基準地上信号ｙ（ｔ）のデジタル・コピーまたはデジタル表現である。いくつかの場合に、基準地上デジタル信号ｙｎを、基準地上信号ｙ（ｔ）のデジタル表現と称する場合がある。合成デジタル信号ｚｎに似て、基準地上デジタル信号ｙｎも、ブロックまたはフレームにグループ化された連続するデジタル・サンプルからなる。ダウンコンバータ／ＡＤＣ２１８は、衛星受信器１０２に基準地上デジタル信号ｙｎを出力する。より具体的には、ダウンコンバータ／ＡＤＣ２１８は、衛星受信器１０２の干渉除去ブロック２２４に基準地上デジタル信号ｙｎを出力する。
【００５１】
上で言及したように、干渉除去ブロック２２４はまた、ダウンコンバータ／ＡＤＣ２０８から合成デジタル信号ｚｎを、衛星信号復号器２１０２からペイロード・データＳＡＹ＿ＳＩＧ＿ＰＡＹＬＯＡＤを受け取る。
【００５２】
まだ図４を参照すると、ステップＳ４０６では、干渉除去ブロック２２４が、合成デジタル信号ｚｎ、基準地上デジタル信号ｙｎ、およびペイロード・データＳＡＴ＿ＳＩＧ＿ＰＡＹＬＯＡＤに基づいて、干渉除去信号ｙＥＳＴ（ｔ）を生成する。干渉除去信号ｙＥＳＴ（ｔ）は、地上送信器アンテナ２２２０によって送信される基準地上信号ｙ（ｔ）の変更されたバージョンである。より具体的には、干渉除去信号ｙＥＳＴ（ｔ）は、衛星受信器１０２で受信した地上信号ｙ（ｔ）の反対の位相の推定値である、すなわち、約−ｙ（ｔ）である。この例では、干渉除去信号ｙＥＳＴ（ｔ）は、実質的に地上信号ｙ（ｔ）と等しいが、反対の位相を有する。干渉除去ブロック２２４は、合成信号ｚ（ｔ）の地上信号成分が衛星受信器１０２で抑制されるように、干渉除去信号ｙＥＳＴ（ｔ）をコンバイナ２０４に出力する。したがって、コンバイナ２０４からの出力は、地上送信器２２２の出力電力が増やされるときであっても、地上送信器２２２によって送信される信号から生じる抑制された（たとえば、ほとんどまたは全くない）干渉と共に、衛星信号部分ｘ（ｔ）を含む。干渉除去信号ｙＥＳＴ（ｔ）の生成を、後で図３に関してより詳細に説明する。
【００５３】
ステップＳ４１０では、地上送信器２２２は、基準地上信号ｙ（ｔ）の送信（出力）電力ＰＴＥＲを増分量だけ増やす。一例では、地上送信器２２２は、基準地上信号ｙ（ｔ）の出力電力ＰＴＥＲを約０．１ｄＢだけ増やす。
【００５４】
ステップＳ４１２では、地上送信器２２２は、現在の送信電力ＰＴＥＲを送信電力レベルＰＴＨと比較することによって、現在の送信電力ＰＴＥＲが、所与の、所望の、または所定の送信電力レベルＰＴＨに達したかどうかを判定する。送信電力レベルＰＴＨを、経験的データに従ってネットワーク・オペレータが決定することができる。一例では、送信電力レベルＰＴＨを約１００Ｗとすることができる。現在の送信電力ＰＴＥＲが、送信電力レベルＰＴＨ以上である場合には、図４に示された方法は、終了する。
【００５５】
図４のステップＳ４１２に戻って、現在の送信電力ＰＴＥＲが、送信電力レベルＰＴＨ未満である場合には、地上送信器２２２は、ステップＳ４１４で、増やされた送信電力ＰＴＥＲを用いて基準地上信号ｙ（ｔ）を送信する。
【００５６】
その後、この方法は、ステップＳ４０４に戻る。
【００５７】
図４に示された方法の最初の反復では、基準地上信号ｙ（ｔ）の送信電力に０がセットされる。送信電力ＰＴＥＲが０より大きい場合の図４に示された方法の第２の反復を、これから、明瞭さのために説明する。図４に示された方法の第２のおよび後続の反復は、ステップＳ４０４に関するものを除いて、上で議論した最初の反復に類似する。したがって、第２の反復のステップＳ４０４だけを、本明細書で詳細に説明する。
【００５８】
まだ図２および図４を参照すると、この後続の反復では、基準地上信号ｙ（ｔ）は、０より大きい出力電力を有する。
【００５９】
ステップＳ４０４では、衛星受信器１０２が、受信した合成ＯＴＡ信号ｚ（ｔ）を処理し、衛星情報（たとえば、ペイロード・データ）ＳＡＴ＿ＳＩＧ＿ＰＡＹＬＯＡＤを抽出する。
【００６０】
より詳細には、たとえば、ＲＦフィルタ２０２が、帯域外雑音および他の干渉を除去するために、合成ＯＴＡ信号ｚ（ｔ）をフィルタリングする。次に、コンバイナ２０４は、フィルタリングされた合成ＯＴＡ信号ｚ（ｔ）を、干渉除去ブロック２２４から出力された干渉除去信号ｙＥＳＴ（ｔ）と合計する。この反復では、地上除去信号ｙＥＳＴ（ｔ）は、基準地上信号ｙ（ｔ）と実質的に等しいが、反対の位相を有する。したがって、合成ＯＴＡ信号ｚ（ｔ）の地上信号成分は、合成ＯＴＡ信号ｚ（ｔ）から実質的に除去される。コンバイナ２０４は、合成ＯＴＡ信号ｚ（ｔ）の残りを低雑音増幅器（ＬＮＡ）２０６に出力し、この方法は、上で議論した形で継続する。
【００６１】
少なくともいくつかの例示的な実施形態によれば、基準地上信号ｙ（ｔ）の電力は、最初には相対的に小さいので、受信した衛星信号ｘ（ｔ）は、衛星信号復号器２１０２が、受信した衛星信号ｘ（ｔ）から衛星情報を抽出し続けるのに十分に強い。
【００６２】
コンバイナ２０４は、衛星受信器１０２で受信した合成ＯＴＡ信号ｚ（ｔ）から地上送信器２２２によって送信された信号によって引き起こされる干渉を抑制することができる。その結果として、地上送信器アンテナ２２２０での基準地上信号ｙ（ｔ）の信号電力が増やされるときであっても、衛星信号ｘ（ｔ）によって搬送された衛星情報を、合成デジタル信号ｚｎから抽出することができる。したがって、衛星信号復号器２１０２は、衛星受信器１０２での合成信号ｚ（ｔ）の地上信号成分の信号電力に関わりなくまたはこれと独立に、衛星信号ｘ（ｔ）から衛星情報を抽出し続ける。
【００６３】
上で言及したように、図４に示され、これに関して説明される方法を、地上送信器２２２での基準地上信号ｙ（ｔ）の送信電力ＰＴＥＲが送信電力閾値ＰＴＨに達するまで、反復して繰り返すことができる。
【００６４】
干渉除去ブロック２２４による干渉除去信号の生成を、これから、図３に関してより詳細に説明する。
【００６５】
上で言及したように、図３は、図２に示された干渉除去ブロック２２４の例示的な実施形態をより詳細に示すブロック図である。やはり上で言及したように、干渉除去ブロック２２４は、図２に示されたダウンコンバータ／ＡＤＣ２０８から合成デジタル信号ｚｎを、地上送信器２２２から基準地上デジタル信号ｙｎを、および復号器２１０２からペイロード・データＳＡＴ＿ＳＩＧ＿ＰＡＹＬＯＡＤを受け取る。干渉除去ブロック２２４は、デジタル信号ｚｎおよびｙｎならびにペイロード・データＳＡＴ＿ＳＩＧ＿ＰＡＹＬＯＡＤに基づいて、干渉除去信号ｙＥＳＴ（ｔ）を生成する。
【００６６】
より詳細には、干渉除去ブロック２２４は、衛星信号再構成ブロック２２４８を含む。衛星信号再構成ブロック２２４８は、ペイロード・データＳＡＴ＿ＳＩＧ＿ＰＡＹＬＯＡＤに基づいて、再構成された衛星デジタル信号ｘｒｅｃｏｎを生成する。一例では、衛星信号再構成ブロック２２４８は、たとえば四位相偏移変調（ＱＰＳＫ）を使用してペイロード・データＳＡＴ＿ＳＩＧ＿ＰＡＹＬＯＡＤを変調することによって、再構成された衛星デジタル信号ｘｒｅｃｏｎを生成する。再構成された衛星デジタル信号ｘｒｅｃｏｎは、衛星信号ｘ（ｔ）のデジタル・コピーの再構成されたバージョンである。衛星信号再構成ブロック２２４８は、再構成された衛星デジタル信号ｘｒｅｃｏｎをコンバイナ２２３８に出力する。
【００６７】
コンバイナ２２３８は、再構成された衛星デジタル信号ｘｒｅｃｏｎを、ダウンコンバータ／ＡＤＣ２０８からの合成デジタル信号ｚｎと組み合わせる。具体的には、コンバイナ２２３８は、合成デジタル信号ｚｎから再構成された衛星デジタル信号ｘｒｅｃｏｎを減算して、合成デジタル信号ｚｎの地上成分を生成する。この例では、合成デジタル信号ｚｎの地上成分は、コンバイナ２０４で合成信号ｚ（ｔ）から除去されなかった地上信号ｙ（ｔ）の残りの部分を表す。
【００６８】
まだ図３を参照すると、コンバイナ２２３８は、合成デジタル信号ｚｎの地上成分をバッファ２２４０に出力する。干渉除去ブロック２２４は、合成デジタル信号ｚｎの地上成分のサンプルの複数のブロックをバッファ２２４０に格納する。
【００６９】
また、干渉除去ブロック２２４は、地上送信器からの基準地上デジタル信号ｙｎのサンプルのブロック（たとえば、現在のブロック）を基準フレーム・バッファ２２４２に格納する。基準地上デジタル信号ｙｎは、基準地上信号ｙ（ｔ）を表すデジタル信号である。少なくとも１つの例示的な実施形態によれば、基準フレーム・バッファ２２４２は、基準地上デジタル信号ｙｎのサンプルの１つまたは２つのブロックを格納する容量を有することができる。
【００７０】
まだ図３を参照すると、検出器２２４４は、基準フレーム・バッファ２２４２からのサンプルの少なくとも１つのブロックとバッファ２２４０からのサンプルのブロックとに基づいて、衛星受信器１０２での基準地上信号ｙ（ｔ）の送信と受信との間の時間遅れ
【数１】
2015516704.tif 000003
および周波数オフセット
【数２】
2015516704.tif 000004
（たとえば、チャネル特性）を推定する。時間遅れ
【数３】
2015516704.tif 000005
および周波数オフセット
【数４】
2015516704.tif 000006
を推定する例示的な処理が、Ｈ．Ｊｉａｎｇ他の米国特許出願公開第２０１０／０００８４５８号明細書に詳細に記載されている。明瞭にするために、例示的な処理を下に説明する。推定された時間遅れ
【数５】
2015516704.tif 000007
および周波数オフセット
【数６】
2015516704.tif 000008
は、除去信号生成ブロック２２４６に出力される。
【００７１】
除去信号生成ブロック２２４６は、基準フレーム・バッファ２２４２に格納されているが、適当に調整されたタイミング、位相、および振幅を有する基準地上デジタル信号ｙｎのサンプルのブロックに基づいて、干渉除去信号ｙＥＳＴ（ｔ）を生成する。
時間遅れ
【数７】
2015516704.tif 000009
および周波数オフセット
【数８】
2015516704.tif 000010
を推定する例示的な方法を、これから説明する。この例示的な実施形態では、方法は、図３の検出器２２４４内で実行される。この方法を、明瞭さのために、受信したＯＴＡ信号内の唯一のひずみが、実際の時間遅れΔｔ、周波数オフセットΔｆ、およびガウス雑音である例示的な状況に関して説明する。この例では、受信した地上信号は、ｙＲＸ（）と表され、送信された地上信号は、ｙＴＸ（）と表される。
【数９】
2015516704.tif 000011
【００７２】
式（１）では、Ｐは、送信された地上信号ｙＴＸ（ｔ）の送信電力に対する相対的な受信した地上信号ｙＲＸ（ｔ）の電力であり、ω（ｔ）は、ガウス雑音である。実際の時間遅れΔｔは、地上送信器２２２から衛星受信器アンテナ２０１まで移動する信号のラウンド・トリップ遅延（ＲＴＤ）を表す。実際の周波数オフセットΔｆは、衛星の動きに起因するドップラ効果の結果である。
【００７３】
時間遅れΔｔが、サンプル持続時間Ｔの整数倍であると仮定すると、受信した各サンプルｙＲＸ＿ｎは、下に示した式（２）によって与えられる。
【数１０】
2015516704.tif 000012
上の式で、Ｍは、サンプルの個数として表された、公称遅延Ｄに関する追加の遅延である。追加の遅延Ｍは、時間遅れΔｔに関し、下に示した式（３）によって与えられる。
【数１１】
2015516704.tif 000013
【００７４】
式（３）では、Ｍは、公称オフセットＤに関する時間オフセットの瞬間的変動を表す。
【００７５】
時間遅れおよび周波数オフセットを推定する際に、検出器２２４４は、基準フレーム・バッファ２２４２からのサンプルの格納されたブロックとバッファ２２４０からのサンプルの格納されたブロックとの間の相関Ｃｋを計算する。サンプルの各ブロックは、同一の個数のサンプルすなわち、Ｎ個のサンプルを含む。個数Ｎを、ネットワーク・コントローラで経験的データに基づいて判定することができる。
【００７６】
検出器２２４４は、基準フレーム・バッファ２２４２からのサンプルのブロックとバッファ２２４０からのサンプルのブロックのそれぞれとの間の相関Ｃｋを、下に示した式（４）に従って計算する。
【数１２】
2015516704.tif 000014
【００７７】
式（４）では、「ｙＴＸｎ」表記は、基準フレーム・バッファ２２４２からのサンプルを表し、「ｙＲＸｎ」表記は、バッファ２２４０からのサンプルを表す。表記（）＊は、複素共役を表し、ｑは、ｙＲＸｎ＋ｋおよびｙＲＸｎによって表されるサンプルとそれぞれのサンプルｙＴＸｎ＋ｋおよびｙＴＸｎとの間の距離を示すパラメータである。例示的な実施形態によれば、パラメータｑは、周波数オフセット推定の正確さを決定する。ｑが大きくなればなるほど、推定がより正確になる。ｑの値は、所与の正確さ要件について実験的に決定することができる。通常、ｑは、約１０Ｎと約１００Ｎとの間程度とすることができる。相関が、バッファ２２４０内の受信したサンプルのブロックごとに計算され、このブロックは、ｋ＝０、±１、±２、…、Ｋによってインデクシングされる。
【００７８】
例示的な実施形態によれば、式（４）によって与えられる単一の相関Ｃｋは、信号の間の時間遅れと周波数オフセットとの両方を推定するのに使用される。時間遅れの推定値
【数１３】
2015516704.tif 000015
は、インデックスｋ＝０、±１、±２、…、±Ｋ上で相関Ｃｋの振幅を最大にすることによって入手される。すなわち、時間遅れは、最大の相関値Ｃｋに関連するインデックスｋを識別することによって推定される。本明細書で議論されるように、最大の相関値を、
【数１４】
2015516704.tif 000016
と称し、最大の相関
【数１５】
2015516704.tif 000017
に関連するインデックスｋを、ｋｍａｘと称する。この例では、ｋｍａｘは、バッファ２２４０からのサンプルの複数のブロック内の最大相関に関連するサンプルのブロックの位置を表す。
【００７９】
一例では、最大相関
【数１６】
2015516704.tif 000018
の識別を、下に示した式（５）によって表されるように、あるＫ＞０に関する所与のまたは所望の検索ウィンドウ［−Ｋ，Ｋ］内での検索とみなすことができる。
【数１７】
2015516704.tif 000019
その後、推定された時間遅れ
【数１８】
2015516704.tif 000020
が、下の式（６）に示されるように、最大の相関値
【数１９】
2015516704.tif 000021
に関連するインデックスｋｍａｘに基づいて計算される。
【数２０】
2015516704.tif 000022
【００８０】
上で注記したように、Ｄは、公称遅延であり、Ｔは、サンプル持続時間である。言い替えると、推定された時間遅れ
【数２１】
2015516704.tif 000023
を、インデックスｋｍａｘ、公称遅延Ｄ、およびサンプル持続時間Ｔの関数として計算することができる。
【００８１】
例示的な実施形態によれば、式（６）によって与えられる推定された時間遅れ
【数２２】
2015516704.tif 000024
は、式（７）によって与えられる条件が満足されるときに、有効である。
（Ｄ−Ｋ）Ｔ≦Δｔ≦（Ｄ＋Ｋ）Ｔ      （７）
【００８２】
その結果、検索ウィンドウ［−Ｋ，Ｋ］を選択する際に、ＤおよびＫの値は、条件（７）が満足されるように選択される。検索ウィンドウ［−Ｋ，Ｋ］を、自動的に、または経験的データに基づいて人間のネットワーク・オペレータによって選択することができる。
【００８３】
周波数オフセットも、最大の相関値
【数２３】
2015516704.tif 000025
に基づいて推定される。より詳細には、周波数オフセットは、最大の相関値
【数２４】
2015516704.tif 000026
すなわち、インデックスｋｍａｘで評価された相関値Ｃｋの位相に基づいて推定される。
【００８４】
送信された地上信号と受信した地上信号との間の推定された周波数オフセット
【数２５】
2015516704.tif 000027
は、下に示された式（８）によって与えられる。
【数２６】
2015516704.tif 000028
【００８５】
上で注記したように、ｑは、サンプルの対の間の距離を示すパラメータであり、Ｔは、サンプルを生成する際に使用されるサンプル持続時間である。値
【数２７】
2015516704.tif 000029
は、ｋｍａｘで評価された相関Ｃｋの位相である。複素数の位相の計算は、当技術分野でよく知られているので、短い議論だけを提供する。一例では、
【数２８】
2015516704.tif 000030
を、下に示された式（９）に従って計算することができる。
【数２９】
2015516704.tif 000031
【００８６】
式（９）では、
【数３０】
2015516704.tif 000032
は、複素数
【数３１】
2015516704.tif 000033
の虚部であり、
【数３２】
2015516704.tif 000034
は、複素数
【数３３】
2015516704.tif 000035
の実部である。
【００８７】
例示的な実施形態によれば、推定された時間遅れ
【数３４】
2015516704.tif 000036
および周波数オフセット
【数３５】
2015516704.tif 000037
は、除去信号ｙＥＳＴ（ｔ）を生成するために、基準地上信号ｙ（ｔ）の時間および周波数を調整するために除去信号生成ブロック２２４６内で使用される。除去信号生成ブロック２２４６は、定常状態で
【数３６】
2015516704.tif 000038
かつ
【数３７】
2015516704.tif 000039
になるように、時間遅れおよび周波数オフセットについて調整するように設計される。
【００８８】
まだ図３を参照すると、除去信号生成ブロック２２４６は、タイミングおよび周波数オフセットについて除去信号ｙＥＳＴ（ｔ）を正しく調整した後に、誤差を調べることによって、除去信号ｙＥＳＴ（ｔ）の振幅Ａを判定する。除去信号生成ブロック２２４６が振幅Ａを判定する形はよく知られているので、詳細な議論は省略する。
【００８９】
図５は、別の例示的な実施形態による衛星受信器および地上送信器を示すブロック図である。図５に示された例示的な実施形態を、ＤＶＢ−ＳＨネットワークに関連して説明する（実装され得る）。
【００９０】
図５に示された例示的な実施形態は、図２に示された例示的な実施形態に類似し、したがって、これらの実施形態の間の差だけを、本明細書で説明する。
【００９１】
図５に示された例示的な実施形態では、地上送信器２２２によって送信された地上信号ｙ（ｔ）によって搬送されるペイロード・データは、衛星信号復号器２１０２によって衛星信号から抽出されない。そうではなく、図５では「ＴＥＲ＿ＳＩＧ＿ＰＡＹＬＯＡＤ」と表される地上信号ｙ（ｔ）によって搬送されるペイロード・データは、補助ネットワーク５１０によって供給される。補助ネットワーク５１０は、任意の適切なバックホール・ネットワーク（たとえば、イーサネット（登録商標）、光ファイバなど）とすることができる。
【００９２】
図２に示された例示的な実施形態のようにペイロード・データＳＡＴ＿ＳＩＧ＿ＰＡＹＬＯＡＤを抽出するのではなく、図５に示された例示的な実施形態では、衛星信号復号器２１０２によって抽出される衛星情報は、所要の衛星情報ＲＥＱ＿ＳＡＴ＿ＩＮＦＯである。一例では、所要の衛星情報ＲＥＱ＿ＳＡＴ＿ＩＮＦＯは、補助ネットワーク５１０からの地上信号ペイロード・データＴＥＲ＿ＳＩＧ＿ＰＡＹＬＯＡＤを変調するために地上送信器２２２が必要とする時間遅れΔｔおよび周波数オフセットΔｆ（チャネル特性）である。
【００９３】
衛星信号復号器２１０２は、所要の衛星情報ＲＥＱ＿ＳＡＴ＿ＩＮＦＯを地上送信器２２２の変調器２１０４に出力し、変調器２１０４は、その後、それに従ってペイロード・データＴＥＲ＿ＳＩＧ＿ＰＡＹＬＯＡＤを変調して、デジタル・サンプルｙＴＥＲ＿ＳＩＧ＿ＰＡＹＬＯＡＤを生成する。図５に示された例示的な実施形態は、その後、デジタル・サンプルｙＴＥＲ＿ＳＩＧ＿ＰＡＹＬＯＡＤに関するものを除いて、図２に関して上で議論したように機能する。
【００９４】
図５に示された例示的な実施形態では、干渉除去ブロック２２４は、上でたとえば図３に関して議論したように除去信号ｙＥＳＴ（ｔ）を生成する。干渉除去ブロック２２４は、ペイロード・データＳＡＴ＿ＳＩＧ＿ＰＡＹＬＯＡＤではなく所要の衛星情報ＲＥＱ＿ＳＡＴ＿ＩＮＦＯが、衛星信号再構成ブロック２２４８に入力されることを除いて、上で説明したものと実質的に同一の形で動作する。
【００９５】
少なくともいくつかの例示的な実施形態によれば、地上送信器が必要とする衛星信号に関する情報を、地上送信器の位置での衛星信号から入手することができる。有利なことに、少なくともいくつかの例示的な実施形態によれば、この情報は、別の（たとえば補助）伝送ネットワークによって送信される必要がなく、所要の情報を、より正確に入手することができる。
【００９６】
例示的な実施形態の前述の説明は、例示および説明のために提供されたものである。網羅的であること、または開示を限定することは、意図されていない。特定の例示的な実施形態の個々の要素または特徴は、概して、その特定の実施形態に限定されるのではなく、適用可能な場合に、交換可能であり、具体的に図示されまたは説明されない場合であっても、選択された実施形態で使用され得る。特定の例示的な実施形態の個々の要素または特徴を、多数の形で変更することもできる。そのような変更形態は、本開示からの逸脱とみなされてはならず、そのような変更形態のすべてが、本開示の範囲に含まれることが意図されている。
【図１】
2015516704.tif 000040
【図２】
2015516704.tif 000041
【図３】
2015516704.tif 000042
【図４】
2015516704.tif 000043
【図５】
2015516704.tif 000044
【国際調査報告】
2015516704.tif 000045
2015516704.tif 000046
2015516704.tif 000047